(57)【要約】【課題】着座時の冷たい感触や硬い感触がなく、快適に使用することができる便座を提供する。【解決手段】合成樹脂製の基盤体２と、この基盤体２の上面に着脱可能に取り付けられたコルク製の上面体３とを備えた便座１。コルクの断熱性と弾力性で快適に使用することができる。【選択図】  図１
2004180929.tif 000002
【特許請求の範囲】
【請求項１】
洋風便座に設置される便座において、少なくとも着座面がコルク製であることを特徴とする便座。
【請求項２】
請求項１において、該便座は、合成樹脂製の基盤体と、該基盤体の上面に取り付けられたコルク製の上面体とを備えてなることを特徴とする便座。
【請求項３】
請求項２において、該上面体は該基盤体に対し着脱可能に取り付けられていることを特徴とする便座。
【請求項４】
請求項２又は３において、該基盤体に発熱体が設けられていることを特徴とする便座。
【発明の詳細な説明】
【０００１】
【発明の属する技術分野】
本発明は洋風便器に設置される便座に係り、特に、着座面をコルク製とすることにより、コルクの耐熱性及び弾力性で使用時の快適感を高めた便座に関する。
【０００２】
【従来の技術】
洋風便器に設置される便座は、通常合成樹脂製とされており、冬季の低温時期には着座時の冷たい感触を防止して快適に使用するために、近年では、便座内に発熱体を設けた暖房便座が多く用いられているようになってきている。また、一般家庭では、便座の着座時の冷たい感触を和らげると共に、硬い感触を和らげるために、布製の便座カバーを取り付ける場合も多い。
【０００３】
なお、実開昭５９−８６９８号公報には、座面にプラスチックを接着した銅製の極薄板の偏平な袋状体内に、コルクを絡めた温罐便座が記載されている。このものは、銅の高熱伝導性による保有熱で温感を得るものであるが、着座面自体はプラスチック製であるため、着座した瞬間の冷たく硬い感触は防止し得ない。
【０００４】
また、便座の上に載置する便座カバーとして、特開２００１−１６９９６４号公報には、コルクシートよりなる携帯用便座カバーが記載されているが、このようなシートを例えば一般家庭等で定常的に使用する場合、シートのずれが問題となり、快適な使用感は得られない。
【０００５】
【特許文献１】
実開昭５９−８６９８号公報
【特許文献２】
特開２００１−１６９９６４号公報
【０００６】
【発明が解決しようとする課題】
本発明は上記従来の問題点を解決し、着座時の冷たい感触や硬い感触がなく、快適に使用することができる便座を提供することを目的とする。
【０００７】
【課題を解決するための手段】
本発明の便座は、洋風便座に設置される便座において、少なくとも着座面がコルク製であることを特徴とする。
【０００８】
コルクは次のような特長を備えた天然素材である。
【０００９】
▲１▼  １ｃｍ３に２０００万〜４０００万個の空気を内包した微細な細胞で構成されているため、高い断熱性を示す。このため、夏の高温時には熱気を防ぎ、冬の低温時にも優れた保温性で熱を保有する。
▲２▼  弾性力に優れ、良好な衝撃吸収性、圧縮回復性を有する。
▲３▼  上述の空気を内包した微細な細胞により、優れた吸音性を有する。
▲４▼  コルクは、水が浸透するような導管部を有さず、また内部に含有されるロウと脂肪酸により毛細管現象を起こすことがなく、耐水性に優れ、水により変質することもない。
▲５▼  耐薬品性に優れ、酸、アルカリ、有機液体や各種の気体等により変質することは殆どない。
▲６▼  上述の如く、空気を内包した細胞組織であるため、非常に軽量である。
▲７▼  炭化が遅く燃え難く、難燃性に優れる。また、火炎時に有毒ガスが発生する問題もない。
【００１０】
本発明の便座によれば、このように優れた特長を有するコルクで便座の着座面を構成することにより、次のような効果が達成される。
【００１１】
［１］  コルクの断熱性により、着座時に冷たい感触がなく、真冬の極寒期をのぞいて、初春、晩秋の低温期においては暖房が不要となる。また、暖房を行う際にも、コルク自体に保温性があるため、必要電力が低減される。このため、暖房費を大幅に低減することができる。逆に、夏季の高温期においては、熱気や蒸れた感触がなく、快適に使用することができる。
［２］  コルクの弾力性により、着座時の衝撃が緩和され、ソフトな着座感を得ることができる。
［３］  コルクの吸音性により、便蓋を降ろした際の音が低減される。また、コルクの弾力性により、便蓋を勢い良く降ろした場合に、便座や便蓋に加えられる衝撃を緩和することができる。
［４］  水洗いが可能であり衛生的に使用することができる。耐水性、耐薬品性に優れるため、使用により腐食したり変質したりすることがなく、長期耐久性に優れる。
［５］  軽量であるため取り扱い性に優れ、しかも火災時の安全性も高い。
【００１２】
加えて、コルクは、天然素材であるため、視覚的に使用者に安心感を与える上に、高級感もあり、トイレ空間を自然環境を考慮した安らぎ空間に変えることができる。
【００１３】
本発明の便座は、合成樹脂製の基盤体とこの基盤体の上面に取り付けられたコルク製の上面体とで構成されることが好ましく、特に上面体を基盤体に対して着脱可能に取り付けることにより、上面体を基盤体から容易に取り外して水洗して再使用することができ、衛生的である。
【００１４】
なお、本発明の便座は、コルク製の着座面の保温性で冬季も快適に使用することができるが、基盤体には発熱体を設け、真冬の極寒期には暖房が行えるようにすることが好ましい。
【００１５】
【発明の実施の形態】
以下に図面を参照して本発明の便座の実施の形態を詳細に説明する。
【００１６】
図１は本発明の便座の実施の形態を示す斜視図であり、図２は同分解斜視図である。図３は、図２のＩＩＩ−ＩＩＩ線に沿う断面の拡大図である。図４は本発明の便座の他の実施の形態を示す断面図である。
【００１７】
図１〜３に示す便座１は、合成樹脂製の基盤体２の上面にコルク製の上面体３が着脱可能に取り付けられたものである。
【００１８】
上面体３を基盤体２に着脱自在に取り付けるために、上面体３の底面に係止部材５が取り付けられ、基盤体２に該係止部材５が係合する開口６が設けられている。係止部材５は、接近方向に弾性変化可能な１対の爪片５ａを備えている。この爪片５ａの対峙面と反対側は外方に突出している。爪片５ａ，５ａを開口６に押し込むと、爪片５ａ同士が接近し、爪片５ａが開口６を通り抜けると弾性的に元の形状に復帰し、上面体３が基盤体２に係着される。基盤体２を上面体３から引き剥がすように引張ると、爪片５ａ，５ａが接近方形に弾性変形し、爪片５ａが開口６から抜け出す。
【００１９】
基盤体２内にはヒータ７が設けられている。基盤体２の底面にはゴム足８が取り付けられている。
【００２０】
この便座１であれば、使用者はコルク製の上面体３上に着座するため、コルク本来の断熱性により、冬季の低温時期でも冷たい感触がなく、また、夏季においても蒸れたような感触がない。そして、コルクの弾力性により着座時の衝撃が和らげられ、着座中も良好な使用感を得ることができる。
【００２１】
コルク製の上面体３は、前述の如く耐水性、耐薬品性に優れ、変質したり腐食したりすることは殆どない。そして、上面体３に汚れが付着した場合には、上面体３を基盤体２から取り外して水洗、乾燥した後、再び基盤体２に取り付けることにより、長期に亘り良好な状態で衛生的に使用することができる。
【００２２】
また、この便座１では、基盤体２にヒータ７が取り付けられているため、真冬の極寒期には、ヒータ７で暖房することができる。この場合、コルクの断熱性で暖房に要する発熱量を低く抑えることができ、暖房費を節減することができる。
【００２３】
図４は、他の実施の形態に係る便座の着座面部分の断面図であり、合成樹脂製の基盤体２Ａの上面にコルク製の上面体３Ａが着脱可能に取り付けられている。
【００２４】
上面体３Ａを基盤体２Ａに着脱自在に取り付けるために、上面体３Ａの両側部に係止用の切り欠き溝３ａが設けられている。基盤体２Ａの上面には凹溝２ｂが設けられ、この凹溝２ｂの両側壁部には、上面体３Ａの切り欠き溝３ａに係合する突条２ａが内側に突出して設けられている。
【００２５】
基盤体２Ａの凹溝２ｂ内には、ヒータ７を内蔵する面状発熱体９が設けられている。基盤体２Ａの底面にはゴム足８が取り付けられている。
【００２６】
この便座であっても、使用者はコルク製の上面体３Ａ上に着座するため、コルク本来の断熱性により、冬季の低温時期でも冷たい感触がなく、また、夏季においても蒸れたような感触がない。そして、コルクの弾力性により着座時の衝撃が和らげられ、着座中も良好な使用感を得ることができる。
【００２７】
コルク製の上面体３Ａは、前述の如く耐水性、耐薬品性に優れ、変質したり腐食したりすることは殆どない。そして、上面体３Ａに汚れが付着した場合には、上面体３Ａを基盤体２Ａから取り外して水洗、乾燥した後、再び基盤体２Ａに取り付けることにより、長期に亘り良好な状態で衛生的に使用することができる。
【００２８】
また、この便座では、基盤体２Ａの凹溝２ｂ内に面状発熱体９が設けられているため、真冬の極寒期には、この面状発熱体９で暖房することができる。この場合、コルクの断熱性で暖房に要する発熱量を低く抑えることができ、暖房費を節減することができる。
【００２９】
【発明の効果】
以上詳述した通り、本発明の便座によれば、着座面をコルク製とすることにより、コルクの断熱性と弾力性とで快適に使用することができ、しかも、近年の社会的動向に合致した環境配慮型の便座が提供される。
【図面の簡単な説明】
【図１】本発明の便座の実施の形態を示す斜視図である。
【図２】図１の便座の分解斜視図である。
【図３】図２のＩＩＩ−ＩＩＩ線に沿う断面の拡大図である。
【図４】本発明の便座の他の実施の形態を示す断面図である。
【符号の説明】
１  便座
２，２Ａ  基盤体
３，３Ａ  上面体
４  ヒンジ部
５  係止部材
６  開口
７  ヒータ
８  ゴム足
９  面状発熱体
【図１】
2004180929.tif 000003
【図２】
2004180929.tif 000004
【図３】
2004180929.tif 000005
【図４】
2004180929.tif 000006